(57)【要約】      （修正有）【課題】弁箱と蓋の装着、分解を蓋の４５度以下での回転により簡単にでき、更に装着後の固定を確実に行えるようにした合成樹脂製のバルブを提供すること。【解決手段】塩化ビニール等の合成樹脂製の二方、三方、アングル形等のバルブにおいて、弁箱に蓋を装着する場合、弁箱の上部外周面を均等に２〜４分割した位置に円筒状の凸起を２〜４箇所設け、これに被せる蓋の内周面に弁箱の凸起と相対する位置に凹溝を縦方向に２〜４箇所設け、更に、この凹溝を途中からそれぞれ円周方向に４５度以下で延長する。この弁箱と蓋の装着は、弁箱の凸起に蓋の凹溝を合わせ、時計方向に４５度以下で回転させることにより行う。一方、分解は蓋を反時計方向に４５度以下で回転することにより行うことが出来るようにした。また、弁箱の凸起で、隣り合う凸起２箇所の中間位置に半円筒状の小凸起を設け、これに相対する蓋の隣り合う２箇所の凹溝の間に半円筒状の小凹溝を設ける。【選択図】図２
2013122304.tif 000002
【特許請求の範囲】
【請求項１】
バルブの弁箱と蓋の装着、分解を容易かつ確実に行うために、弁箱の上部外周面を均等に２〜４分割した位置に円筒状の凸起を２〜４箇所設け、これに被せる蓋の内周面に弁箱の凸起と相対する位置に凹溝を縦方向に２〜４箇所設け、更に、この溝をそれぞれ円周方向に４５度以下で延長する。この弁箱と蓋の装着は、弁箱の凸起に蓋の凹溝を合わせ、蓋をはめ込み後、時計方向に４５度以下で回転することで、また、分解は蓋を反時計方向に４５度以下で回転することで行えるようにしたバルブ。尚、弁箱に設ける凸起の形状は、円筒以外に楕円や矩形の筒状であってもよい。
【請求項２】
上記蓋の凹溝を縦方向から円周方向に４５度以下で延長する際に、片上がりの緩やかな勾配を持たせることにより、蓋の回転時に弁箱の凸起が常に蓋の凹溝の壁面に押し付けられるため、蓋と弁箱のガタつきを防止するようにした請求項１に記載のバルブ。
【請求項３】
上記弁箱の凸起で、隣り合う凸起２箇所の中間位置に半円筒状の小凸起を設け、これに相対する蓋の隣り合う２箇所の凹溝の間に半円筒状の小凹溝を設ける。これにより、蓋を時計方向に４５度以下で回転したときに、蓋が楕円状に変形し半円筒状の小凹溝が弁箱の半円筒状の小凸起を乗り越えて、両者が嵌合し、蓋が元の円形に復帰、弁箱と蓋が固定された状態になる。分解時は、蓋を反時計方向に回転すると蓋が楕円状に変形し、半円筒状の小凹溝が弁箱の半円筒状の小凸起を乗り越え、蓋が円形に復帰し固定が解除されるようにした請求項１又は、２に記載のバルブ。
【請求項４】
上記において、弁箱の半円筒状の小凸起の隅角片側のみをＲ面付形状とし、蓋を装着時に半円筒状の小凹溝が乗り上げやすく、分解時は半円筒状の小凹溝が乗り上げにくい。即ち、蓋を装着し易く、分解しにくくした請求項１又は、２又は、３に記載のバルブ。
【請求項５】
弁箱の２〜４箇所の凸起の大きさに差を付け、これに対応する蓋の凹溝の大きさも同様に差をつけ、弁箱と蓋の誤組み立てを防止するようにした請求項１又は、２又は、３又は、４に記載のバルブ。尚、弁箱の２〜４箇所の凸起と蓋の２〜４箇所の凹溝の取り付け角度を変えて誤組み立て防止することも可能である。
【発明の詳細な説明】
【技術分野】
【０００１】  排水の浄化を行う浄化槽等の小口径の空気配管や給排水装置の配管等に取り付けられ、空気量や水量の調整や流れ方向の切り換え等の多様な用途に使用される合成樹脂バルブに関する。
【背景技術】
【０００２】  上記のような装置において、空気や水等の流体制御に使用されるバルブは、通常、弁箱、弁体、蓋等の主要構成部品を塩化ビニール等の樹脂材料を射出成形して大量、安価に製作される。【０００３】  この種のバルブは、呼び径が比較的小さく、圧力・温度などの流体条件が軽負荷の汎用弁として製作されており、バルブの組み立てでは最終工程の弁箱と蓋の組み合わせ終了後に接着剤により弁箱と蓋の隙間を固着し、使用中に蓋の外れや流体の外部漏れが発生しないようにしている。【０００４】  したがって、完成後の分解、点検、再組み立てが出来ない構造、いわゆる使い捨てバルブとして取り扱われている。
【発明の概要】
【発明が解決しようとする課題】
【０００５】  上述のとおり、従来弁は組み立てにおいて接着剤を使用するため接着乾燥の時間を要し、取り扱いに注意が必要であること、更に、完成品の検査工程や使用中に流体の弁座漏れ、外部漏れや作動不良等の不適合が発生した場合に分解、点検（不適合発生の原因調査）、部品交換による再生が出来ず、廃棄、新品と交換せざるをえないという、不合理、且つ不経済な問題があった。当該発明は、これら従来の問題点をすべて解決するものである。
【課題を解決するための手段】
【０００６】  上記問題点を解決するため本発明が採った手段は、弁箱の上部外周面に設けた凸起と、これに被せる蓋の内周面に設けた凹溝を嵌合し、この溝に沿って蓋を時計方向に４５度以下で回転すると、弁箱の外周面に別に設けた半円筒状の小凸起に蓋の半円筒状の小凹溝がはまり込み、弁箱と蓋を固定する。また、蓋を反時計方向に回すと固定が解除され４５度以下で回転することで、簡単に分解できるようにした。
【発明の効果】
【０００７】  この発明によれば、二方、三方、アングル形等の各種合成樹脂製バルブの弁箱と蓋の組み立て、分解、固定を容易且つ確実に行うことが出来、組み立て完成後の検査や使用時の流体の弁座漏れ、外部漏れ、作動不良などの不適合に対して従来弁のように廃棄、新品との交換（これにはバルブの配管接着あるいは溶接の取り外し、再施工が必要）ではなく、分解点検、再生が可能になり、合理的で経済的なバルブの提供が可能になる。
【図面の簡単な説明】
【０００８】
【図１】従来のアングル形弁の実施例
【図２】本発明バルブの１例を示したもの
【図３】本発明にかかる弁箱
【図４】本発明にかかる蓋
【発明を実施するための形態】
【０００９】  図１に従来のアングル形弁の実施例を示す。
弁箱１ａにゴムシート弁座４、弁体３（Ｏリング５取り付け済み）を装着し、弁箱の外周面（Ｃ）に接着剤を塗布した後、蓋２ａをはめ込み固着させる。接着剤が乾燥固着後、ハンドル６を取り付け、ハンドルナット７ａで固定し、蓋２ａの上面に目盛シール８を貼り付けて、組み立てを完了する。
【００１０】  当該バルブの機能について記述すると略次のとおりである。図１において弁体３の弁座面には流路溝が設けてあり、ゴムシート弁座４に着座している。流体は当該バルブの入口Ａ側より流入しハンドル７ａの反時計方向への回転により流体を出口Ｂより流出させる。ハンドル７ａの操作により弁体３の流路面積が変わり、流体が０から１００％まで流れるようになっている。
【００１１】  かかる構造の従来弁は、弁箱１ａと蓋２ａの装着を接着剤によって組み立て、検査工程や使用中に弁座漏れや外部漏れあるいは作動不良などが発生した場合に、当該バルブを分解、点検、部品交換等を行い、バルブを再生することが出来ず、廃棄処分し新品と交換せざるをえない。
【００１２】  図２に本発明の実施例を示す。
本発明の弁箱１ｂにゴムシート弁座４、弁体３（Ｏリング５取り付け済み）を装着し、蓋２ａをはめ込み固定させる。その後、ハンドル６を取り付け、ハンドル固定具７ｂで固定し、蓋２ｂの上面に目盛シール８を貼り付けて、組み立てを完了する。ゴムシート弁座４、Ｏリング５以外の部品については、塩化ビニール等の合成樹脂で射出成形されたものである。
【００１３】  配管取り付け後の使用時には流体は弁箱１ｂの入口Ａから流入し、ハンドル６を反時計方向に回転することにより弁箱１ｂの出口Ｂから流出する。弁体３の弁座面には流路溝が形成されており、ハンドル６による目盛シール８上での指示が０（閉）にあるとき流体は閉止されており、ハンドル６を反時計方向に回転すると弁体３の流路面積が変化し流体は０から１００％まで出口Ｂより流出する。
【００１４】  かかる構造のバルブにおいて、弁箱１ｂと蓋２ｂの装着、固定、分解の形態について説明する。図３に本発明にかかる弁箱１ｂを示し、図４に本発明にかかる蓋２ｂを示す。
弁箱１ｂの上部外周面を均等に２分割した位置に円筒状の凸起１０、１１が形成されており、これらの径の大きさには差をつけており、蓋２ｂ装着の際の誤組み立てを防止できるようにしている。また、これらの凸起の中間位置に半円筒状の小凸起１２が形成されており、その隅角は片側（上面図の上側）のみＲ形状としている。
【００１５】  弁箱１ｂに被せる蓋２ｂの内周面に弁箱の凸起と相対する位置に凹溝１３、１４が設けられ、これらは蓋２ｂの下端からそれぞれ上方に形成後、更に内周面に沿って時計方向（下から見て）に４５度まで緩やかな勾配をつけて延長されている。尚、凹溝１３、１４のそれぞれの幅は弁箱の円筒状の凸起１０、１１の径に対応し、大きさの差をつけている。また、これら２つの凹溝の間の内周部に半円筒状の小凹溝１５が形成されている。
【００１６】  蓋２ｂを弁箱１ｂに装着、固定するには、弁箱１ｂの上部外周面の凸起１０、１１に、蓋２ｂの内周面の凹溝１３、１４を合わせ、挿入し、時計方向に４５度回転する。そして、弁箱１ｂの半円筒状の小凸起１２を蓋２ｂが楕円状に変形し乗り越し半円筒状の小凹溝１５が小凸起１２に嵌まり込み、蓋２ｂが円形に復帰し、固定される。この時、小凸起１２の隅角がＲ形状のため蓋２ｂが乗り上げ易くなる。逆に、蓋２ｂを取り外すため半時計方向に回すときには、小凸起１２の逆側隅角にＲがついていないため蓋２ｂが小凸起１２を乗り越えにくくなる。即ち、バルブの使用中の配管振動や衝撃などにより蓋が簡単に外れることがない構造となっている。
【符号の説明】
【００１７】１ａ：従来のアングル形弁の弁箱
１ｂ：本発明バルブの弁箱
２ａ：従来のアングル形弁の蓋
２ｂ：本発明バルブの蓋
３：弁体
４：ゴムシート弁座
５：弁体に取り付けられたＯリング
６：ハンドル
７ａ：従来のアングル形弁のハンドルナット
７ｂ：ハンドル固定具
８：目盛シール
１０：本発明バルブの弁箱の上部外周面にある上部凸起大
１１：本発明バルブの弁箱の上部外周面にある上部凸起小
１２：本発明バルブの弁箱の外周面にある半円筒状の小凸起
１３：本発明バルブの蓋の内周面にある凹溝大
１４：本発明バルブの蓋の内周面にある凹溝小
１５：本発明バルブの蓋の内周面にある半円筒状の小凹溝
【図１】
2013122304.tif 000003
【図２】
2013122304.tif 000004
【図３】
2013122304.tif 000005
【図４】
2013122304.tif 000006